(57)【要約】【課題】自然の力を有効に利用して、自然の変化による環境変化に対処するのにかかるコストを低減することができる住宅及びその温度調整方法を提供する。【解決手段】バルコニー１２の立上り部１４と上階のバルコニー１６との間に二重サッシ部材１８，２０が設けられた住宅１０において、前記二重サッシ部材１８，２０が、熱透過ガラスを有する第１サッシ部材１８と、熱遮蔽ガラスを有する第２サッシ部材２０から構成されていることを特徴とする。【効果】バルコニーの立上り部と上階のバルコニーとの間に二重サッシ部材が設けられた住宅において、自然の力を有効に利用して、自然の変化による環境変化に対処するのにかかるコストを低減することができる。【選択図】図２
2010209561.tif 000002
【特許請求の範囲】
【請求項１】
バルコニーの立上り部と上階のバルコニーとの間に二重サッシ部材が設けられた住宅において、
前記二重サッシ部材が、熱透過ガラスを有する第１サッシ部材と、熱遮蔽ガラスを有する第２サッシ部材から構成されていることを特徴とする住宅。
【請求項２】
前記第１、第２サッシ部材のそれぞれが複数のサッシ部材から構成されていることを特徴とする請求項１に記載の住宅。
【請求項３】
前記第２サッシ部材に換気用小窓が形成されていることを特徴とする請求項１に記載の住宅。
【請求項４】
バルコニーの立上り部と上階のバルコニーとの間に交換可能な二種類のサッシ部材が交互に設けられ、
前記二種類のサッシ部材に、熱透過ガラスを有する第１サッシ部材と、熱遮蔽ガラスを有する第２サッシ部材が用いられ、
季節により前記第１サッシ部材と前記第２サッシ部材を使い分けることができるようにしたことを特徴とする住宅。
【請求項５】
バルコニーの立上り部と上階のバルコニーとの間に、換気用小窓が形成されている熱透過ガラスを有する第３サッシ部材を用いると共に、
上下方向の間隔が伸縮して光を取り入れたり遮断したりすることができる光調整部材を設けた
ことを特徴とする住宅。
【請求項６】
バルコニーの立上り部と上階のバルコニーとの間にサッシ部材が設けられた住宅において、
昼間はバルコニーの内部で暖められた空気を部屋に通じる循環経路に循環させて部屋を暖めると共に、循環する空気に接触するコンクリートが蓄熱できるようにした
ことを特徴とする住宅。
【請求項７】
夜間は空気が循環する経路がバルコニーを通らないで、各部屋間を結ぶ経路を空気が循環するように、空気の循環経路を切換えることができるようにした
ことを特徴とする請求項６に記載の住宅。
【請求項８】
前記空気の循環経路は、天井とコンクリートとの間や、床板とコンクリートとの間に形成されている
ことを特徴とする請求項６に記載の住宅。
【請求項９】
昼間はバルコニーの内部に置いた蓄熱材を暖め、夜間はこの昼間暖められた蓄熱材を部屋の中に移動させることにより、前記蓄熱材が放熱して部屋を暖めることができるようにしたことを特徴とする住宅の温度調整方法。
【請求項１０】
昼間バルコニーの内部において暖めた流動タイプの蓄熱材を各部屋に循環させて、この蓄熱材が放熱して各部屋を暖めることができるようにした
ことを特徴とする住宅。
【請求項１１】
夜間は前記流動タイプの蓄熱材が循環する経路がバルコニーを通らないで、各部屋間を結ぶ経路を蓄熱材が循環するように、蓄熱材の循環経路を切換えることができるようにしたことを特徴とする請求項１０に記載の住宅。
【請求項１２】
バルコニーに、放水設備や噴霧設備を設け、バルコニーのコンクリートや蓄熱材が流動する配管に水をかけて気化熱によりコンクリート近傍の空気や蓄熱材の温度を下げ、
この温度が下がった空気や蓄熱材を各部屋に循環させて、この空気や蓄熱材が各部屋の熱を奪って温度を下げることができるようにしたことを特徴とする住宅の温度調整方法。
【請求項１３】
バルコニーに植栽設備を設け、この植栽設備の植物の蒸散作用や、植え込みの土に含まれる水分の気化熱により、バルコニー内の空気や、植え込み中に設けた蓄熱材の配管の温度を下げ、
この温度が下がった空気や蓄熱材を各部屋に循環させて、この空気や蓄熱材が各部屋の熱を奪って温度を下げることができるようにしたことを特徴とする住宅の温度調整方法。
【発明の詳細な説明】
【技術分野】
【０００１】
本発明は、季節や昼夜における住宅の温度変化による環境変化に自然を利用して対処することができる、住宅及びその温度調整方法に関するものである。
【背景技術】
【０００２】
従来の住宅においては、夏や冬等における温度変化による環境変化に対処する方法としては、いわゆるエアコン（空調装置）、扇風機、暖房器具、或は床暖房システムなどを用いていた。
【発明の概要】
【発明が解決しようとする課題】
【０００３】
しかしながら、前記エアコン（空調装置）、扇風機、暖房器具、或は床暖房システムなどを用いて、自然の変化による環境変化に対処する方法にあっては、コストばかりがいたずらにかかり、自然の変化に対しては自然の力を利用して対処するという視点に欠けていたため、まだまだ自然の力を有効に利用しきれていないという問題があった。
【０００４】
そこで本発明は、上記問題点に鑑みて、自然の力を有効に利用して、自然の変化による環境変化に対処するのにかかるコストを低減することができる住宅及びその温度調整方法を提供することを課題とするものである。
【課題を解決するための手段】
【０００５】
上記課題を解決するために、本発明による住宅は、
バルコニーの立上り部と上階のバルコニーとの間に二重サッシ部材が設けられた住宅において、
前記二重サッシ部材が、熱透過ガラスを有する第１サッシ部材と、熱遮蔽ガラスを有する第２サッシ部材から構成されていることを特徴とするものである。
【０００６】
また、本発明による住宅は、
前記第１、第２サッシ部材のそれぞれが複数のサッシ部材から構成されていることを特徴とするものである。
【０００７】
また、本発明による住宅は、
前記第２サッシ部材に換気用小窓が形成されていることを特徴とするものである。
【０００８】
また、上記課題を解決するために、本発明による住宅は、
バルコニーの立上り部と上階のバルコニーとの間に交換可能な二種類のサッシ部材が交互に設けられ、
前記二種類のサッシ部材に、熱透過ガラスを有する第１サッシ部材と、熱遮蔽ガラスを有する第２サッシ部材が用いられ、
季節により前記第１サッシ部材と前記第２サッシ部材を使い分けることができるようにしたことを特徴とするものである。
【０００９】
また、上記課題を解決するために、本発明による住宅は、
バルコニーの立上り部と上階のバルコニーとの間に、換気用小窓が形成されている熱透過ガラスを有する第３サッシ部材を用いると共に、
上下方向の間隔が伸縮して光を取り入れたり遮断したりすることができる光調整部材を設けたことを特徴とするものである。
【００１０】
また、上記課題を解決するために、本発明による住宅は、
バルコニーの立上り部と上階のバルコニーとの間にサッシ部材が設けられた住宅において、
昼間はバルコニーの内部で暖められた空気を部屋に通じる循環経路に循環させて部屋を暖めると共に、循環する空気に接触するコンクリートが蓄熱できるようにしたことを特徴とするものである。
【００１１】
また、本発明による住宅は、
夜間は空気が循環する経路がバルコニーを通らないで、各部屋間を結ぶ経路を空気が循環するように、空気の循環経路を切換えることができるようにしたことを特徴とするものである。
【００１２】
また、本発明による住宅は、
前記空気の循環経路は、天井とコンクリートとの間や、床板とコンクリートとの間に形成されていることを特徴とするものである。
【００１３】
また、上記課題を解決するために、本発明による住宅の温度調整方法は、
昼間はバルコニーの内部に置いた蓄熱材を暖め、夜間はこの昼間暖められた蓄熱材を部屋の中に移動させることにより、前記蓄熱材が放熱して部屋を暖めることができるようにしたことを特徴とするものである。
【００１４】
また、上記課題を解決するために、本発明による住宅は、
昼間バルコニーの内部において暖めた流動タイプの蓄熱材を各部屋に循環させて、この蓄熱材が放熱して各部屋を暖めることができるようにしたことを特徴とするものである。
【００１５】
また、本発明による住宅は、
夜間は前記流動タイプの蓄熱材が循環する経路がバルコニーを通らないで、各部屋間を結ぶ経路を蓄熱材が循環するように、蓄熱材の循環経路を切換えることができるようにしたことを特徴とするものである。
【００１６】
また、上記課題を解決するために、本発明による住宅の温度調整方法は、
バルコニーに、放水設備や噴霧設備を設け、バルコニーのコンクリートや蓄熱材が流動する配管に水をかけて気化熱によりコンクリート近傍の空気や蓄熱材の温度を下げ、
この温度が下がった空気や蓄熱材を各部屋に循環させて、この空気や蓄熱材が各部屋の熱を奪って温度を下げることができるようにしたことを特徴とするものである。
【００１７】
また、上記課題を解決するために、本発明による住宅の温度調整方法は、
バルコニーに植栽設備を設け、この植栽設備の植物の蒸散作用や、植え込みの土に含まれる水分の気化熱により、バルコニー内の空気や、植え込み中に設けた蓄熱材の配管の温度を下げ、
この温度が下がった空気や蓄熱材を各部屋に循環させて、この空気や蓄熱材が各部屋の熱を奪って温度を下げることができるようにしたことを特徴とするものである。
【発明の効果】
【００１８】
このような本発明に係る住宅によれば、
バルコニーの立上り部と上階のバルコニーとの間に二重サッシ部材が設けられた住宅において、
前記二重サッシ部材が、熱透過ガラスを有する第１サッシ部材と、熱遮蔽ガラスを有する第２サッシ部材から構成されていることにより、
自然の力を有効に利用して、自然の変化による環境変化に対処するコストを低減することができる。
【００１９】
また、本発明に係る住宅によれば、
バルコニーの立上り部と上階のバルコニーとの間に交換可能な二種類のサッシ部材が交互に設けられ、
前記二種類のサッシ部材に、熱透過ガラスを有する第１サッシ部材と、熱遮蔽ガラスを有する第２サッシ部材が用いられ、
季節により前記第１サッシ部材と前記第２サッシ部材を使い分けることができるようにしたことにより、
自然の力を有効に利用して、自然の変化による環境変化に対処するのにかかるコストを低減することができる。
【００２０】
また、本発明に係る住宅によれば、
バルコニーの立上り部と上階のバルコニーとの間に、換気用小窓が形成されている熱透過ガラスを有する第３サッシ部材を用いると共に、
上下方向の間隔が伸縮して光を取り入れたり遮断したりすることができる光調整部材を設けたことにより、
自然の力を有効に利用して、自然の変化による環境変化に対処するのにかかるコストを低減することができる。
【００２１】
また、本発明に係る住宅によれば、
バルコニーの立上り部と上階のバルコニーとの間にサッシ部材が設けられた住宅において、
昼間はバルコニーの内部で暖められた空気を部屋に通じる循環経路に循環させて部屋を暖めると共に、循環する空気に接触するコンクリートが蓄熱できるようにしたことにより、
自然の力を有効に利用して、自然の変化による環境変化に対処するのにかかるコストを低減することができる。
【００２２】
また、本発明による住宅の温度調整方法によれば、
昼間はバルコニーの内部に置いた蓄熱材を暖め、夜間はこの昼間暖められた蓄熱材を部屋の中に移動させることにより、前記蓄熱材が放熱して部屋を暖めることができるようにしたことにより、
自然の力を有効に利用して、自然の変化による環境変化に対処するのにかかるコストを低減することができる。
【００２３】
また、本発明に係る住宅によれば、
昼間バルコニーの内部において暖めた流動タイプの蓄熱材を各部屋に循環させて、この蓄熱材が放熱して各部屋を暖めることができるようにしたことにより、
自然の力を有効に利用して、自然の変化による環境変化に対処するのにかかるコストを低減することができる。
【００２４】
また、本発明による住宅の温度調整方法によれば、
バルコニーに、放水設備や噴霧設備を設け、バルコニーのコンクリートや蓄熱材が流動する配管に水をかけて気化熱によりコンクリート近傍の空気や蓄熱材の温度を下げ、
この温度が下がった空気や蓄熱材を各部屋に循環させて、この空気や蓄熱材が各部屋の熱を奪って温度を下げることができるようにしたことにより、
自然の力を有効に利用して、自然の変化による環境変化に対処するのにかかるコストを低減することができる。
【００２５】
また、本発明による住宅の温度調整方法によれば、
バルコニーに植栽設備を設け、この植栽設備の植物の蒸散作用や、植え込みの土に含まれる水分の気化熱により、バルコニー内の空気や、植え込み中に設けた蓄熱材の配管の温度を下げ、
この温度が下がった空気や蓄熱材を各部屋に循環させて、この空気や蓄熱材が各部屋の熱を奪って温度を下げることができるようにしたことにより、
自然の力を有効に利用して、自然の変化による環境変化に対処するのにかかるコストを低減することができる。
【図面の簡単な説明】
【００２６】
【図１】本発明の第１の実施の形態に係る住宅１０を示す一部縦断面図である。
【図２】図１における住宅１０の水平断面図である。
【図３】図１における住宅１０の使用状態を示す一部縦断面図である。
【図４】図１における住宅１０の使用状態を示す水平断面図である。
【図５】本発明の第２の実施の形態に係る住宅２５を示す水平断面図である。
【図６】図５における住宅２５の一部縦断面図である。
【図７】図５における住宅２５の使用状態を示す水平断面図である。
【図８】図５における住宅２５の使用状態を示す一部縦断面図である。
【図９】本発明の第３の実施の形態に係る住宅３０を示す一部縦断面図である。
【図１０】図９における住宅３０の使用状態を示す水平断面図である。
【図１１】図９における住宅３０の使用状態を示す水平断面図である。
【図１２】図９における住宅３０の使用状態を示す一部縦断面図である。
【図１３】本発明の第４の実施の形態に係る住宅３５の使用状態を示す全体縦断面図である。
【図１４】図１３における住宅３５の使用状態を示す全体縦断面図である。
【図１５】本発明の第５の実施の形態に係る住宅５５を示す全体縦断面図である。
【図１６】図１５における住宅５５の使用状態を示す全体縦断面図である。
【図１７】本発明の第６の実施の形態に係る住宅６０を示す全体縦断面図である。
【図１８】図１７における住宅６０の使用状態を示す全体縦断面図である。
【図１９】本発明の第７の実施の形態に係る住宅６５を示す一部縦断面図である。
【図２０】本発明の第８の実施の形態に係る住宅７０を示す一部縦断面図である。
【図２１】本発明の第９の実施の形態に係る住宅７５を示す一部縦断面図である。
【図２２】本発明の第１０の実施の形態に係る住宅８０を示す一部縦断面図である。
【発明を実施するための形態】
【００２７】
以下、本発明に係る住宅及びその温度調整方法を実施するための形態について、図面に基づいて具体的に説明する。
図１から図４は、本発明の第１の実施の形態に係る住宅１０について説明するために参照する図である。
【００２８】
本実施の形態に係る住宅１０は、バルコニー１２の手摺り部１４（立上り部）と、上階のバルコニー１６との間に二重サッシ部材が設けられている。この二重サッシ部材は、外側に設けられた第１サッシ部材１８と、内側に設けられた第２サッシ部材２０から構成されている。
【００２９】
第１サッシ部材１８には熱透過ガラスが嵌め込まれており、第２サッシ部材２０には熱遮蔽ガラスが嵌め込まれている。熱透過ガラスとしては普通のガラスが用いられ、熱遮蔽ガラスとしては、特別の加工が施されて、光は通すが熱は遮蔽できる機能を有しているガラスを用いる。このような熱遮蔽ガラスとしては、例えば、日本板硝子株式会社製の「高性能熱線反射ガラス」がある。
【００３０】
第１、第２サッシ部材１８，２０のそれぞれは、図２に示すように、複数のサッシ部材から構成されている。すなわち、同図において、バルコニー１２の外側の３列のサッシ部材は第１サッシ部材１８を構成し、内側の３列のサッシ部材は第２サッシ部材２０を構成している。
【００３１】
そして、第１、第２サッシ部材１８，２０のそれぞれは、図２に示す第１サッシ部材１８のように伸ばしてバルコニー１２を閉じたり、同図に示す第２サッシ部材２０のように重ねてバルコニー１２を全開にしたりできるようになっている。内側の３列の第２サッシ部材２０のそれぞれには、図３に示すように、上階のバルコニー１６寄りの上側に、換気用小窓２０ａが形成されている。
【００３２】
このような住宅１０は、冬は図２に示すように、熱透過ガラスが嵌め込まれている第１サッシ部材１８を閉め切って、熱透過ガラスから熱を取り入れ、熱を遮蔽できる機能を有している第２サッシ部材２０は、同図に示すようにバルコニー１２の水平方向両端部に重ねてバルコニー１２を全開にすることにより、バルコニー１２のサッシ部材内側に暖かい空気を溜め込むことができる。
【００３３】
そして、夏は図４に示すように、熱透過ガラスが嵌め込まれている第１サッシ部材１８を、バルコニー１２の水平方向両端部に重ねてバルコニー１２を全開にすると共に、熱を遮蔽できる機能を有している第２サッシ部材２０は、同図に示すように、バルコニー１２の水平方向中央部だけを少し開けると共に、図３に示すように、第２サッシ部材２０の換気用小窓２０ａを開けることにより、外からの暑い日差しの熱をある程度遮蔽できると共に、バルコニー１２のサッシ部材内側に溜まった空気を外に出易く換気することができる。
【００３４】
このような本発明の第１の実施の形態に係る住宅１０によれば、夏はバルコニー１２の内側の空気の温度がバルコニー１２の隣りの部屋に伝わる程度を低減させることができるので、その部屋のエアコンによる温度を上げることができるため、自然の力を有効に利用して、自然の変化による環境変化に対処するのにかかるコストを低減することができる。
【００３５】
次に、図５から図８は、本発明の第２の実施の形態に係る住宅２５について説明するために参照する図である。
前記第１の実施の形態に係る住宅１０と同様の部分には同じ符号を付して説明し、前記第１の実施の形態の構成と重複する構成の説明はできるだけ省略するものとする。
【００３６】
本実施の形態に係る住宅２５は、図５，６に示すように、バルコニー１２の手摺り部１４と上階のバルコニー１６との間に交換可能な二種類のサッシ部材それぞれが交互に設けられ、この二種類のサッシ部材には、熱透過ガラスを有する第１サッシ部材１８と、熱遮蔽ガラスを有する第２サッシ部材２０が用いられ、季節によりその第１サッシ部材１８と第２サッシ部材２０を入れ替えて、使い分けることができるようになっている。
【００３７】
すなわち、バルコニー１２の手摺り部１４と上階のバルコニー１６との間には、第１サッシ部材１８か第２サッシ部材２０のいずれか一方のみが、嵌め込まれて用いられるようになっている。
【００３８】
例えば、冬は図５に示すように、熱透過ガラスを有する第１サッシ部材１８が、バルコニー１２の手摺り部１４と上階のバルコニー１６との間に設けられて、熱遮蔽ガラスを有する第２サッシ部材２０は外されてバルコニー１２上の隅に保管されるようにすることにより、バルコニー１２のサッシ部材内側に暖かい空気を溜め込むことができる。
【００３９】
そして、夏は図６から図８に示すように、熱遮蔽ガラスを有する第２サッシ部材２０が間隔をおいて設けられ、それぞれの間の隙間から換気できると共に、第２サッシ部材２０の換気用小窓２０ａを開けることにより換気することができる。そして熱透過ガラスを有する第１サッシ部材１８は外されてバルコニー１２の上方に保管されるようになっている。
【００４０】
このような本発明の第２の実施の形態に係る住宅２５によれば、バルコニー１２の内側の空気の温度がバルコニー１２の隣の部屋に伝わる程度を低減させることができるので、その部屋のエアコンにおける設定温度を上げることができるため、自然の力を有効に利用して、自然の変化による環境変化に対処するのにかかるコストを低減することができる。
【００４１】
次に、図９から図１２は、本発明の第３の実施の形態に係る住宅３０について説明するために参照する図である。
前記第１の実施の形態に係る住宅１０と同様の部分には同じ符号を付して説明し、前記第１の実施の形態の構成と重複する構成の説明はできるだけ省略するものとする。
【００４２】
本実施の形態に係る住宅３０は、図９，１２に示すように、バルコニー１２の手摺り部１４と上階のバルコニー１６との間には、換気用小窓３２ａが形成されていて、熱透過ガラスを有する第３サッシ部材３２が、夏から冬を通じて常時設けられている。この第３サッシ部材３２は、図示してない３つのレール上に、図１０，１１に示すように、３列に並んで設けられている。
【００４３】
そして、上階のバルコニー１６からぶら下がり（図１２参照）、上下方向の間隔が伸縮して光を取り入れたり遮断したりすることができる、光調整部材３４の上端部が上階のバルコニー１６の外側に固定されて設けられている。
【００４４】
例えば、冬は図９，１０に示すように、熱透過ガラスを有する第３サッシ部材３２がバルコニー１６の水平方向に隙間なく並んで配置されると共に、それぞれの換気用小窓３２ａを閉じることにより、バルコニー１２の内側を密閉して、そこに暖かい空気を溜め込むことができる。
【００４５】
そして、夏は図１１に示すように、熱透過ガラスを有する第３サッシ部材３２が３枚ずつ重ねられた状態で、互いに離れた２群に分けられて外に最大限に開放すると共に、サッシ部材３２それぞれの換気用小窓３２ａを開放することにより換気することができる。そして、光調整部材３４が上階のバルコニー１６からぶら下がってバルコニー１２の内側を遮光することにより、バルコニー１２のサッシ部材内側の温度が上がるのを防止することができる。
【００４６】
このような本発明の第３の実施の形態に係る住宅３０によれば、夏はバルコニー１２の内側の空気の温度がバルコニー１２の隣りの部屋に伝わる程度を低減させることができるので、その部屋のエアコンにおける設定温度を上げることができるため、また、冬は逆の作用効果により、自然の力を有効に利用して、自然の変化による環境変化に対処するのにかかるコストを低減することができる。
【００４７】
次に、図１３及び図１４は、本発明の第４の実施の形態に係る住宅３５について説明するために参照する図である。
前記第１の実施の形態に係る住宅１０と同様の部分には同じ符号を付して説明し、前記第１の実施の形態の構成と重複する構成の説明はできるだけ省略するものとする。
【００４８】
本実施の形態に係る住宅３５は、主として冬にその効果を発揮できるもので、図１３に示すように、バルコニー１２の手摺り部１４と上階のバルコニー１６との間には、熱透過ガラスを有するサッシ部材１８が設けられている。
【００４９】
バルコニー１６を有する住宅３５の天井３７とコンクリート３９との間には循環路４７が形成され、床板４１とコンクリート４３との間には循環路４８が形成されている。これらの循環路４７，４８は、バルコニー１２上のサッシ部材１８の内側の空間と、一番奥の部屋４５とに通じている。
【００５０】
このような住宅３５においては、昼間は太陽の光によりバルコニー１２上の、サッシ部材１８の内側空間の空気が暖められ、この暖められた空気を循環路４７，４８を通って上記部屋４５との間で循環させて、奥の部屋４５内の空気を暖めることができる。
【００５１】
また、このように暖められた空気が循環路４７，４８を通ることにより、この循環する空気に接触するコンクリート３９，４３に、暖められた空気の熱が蓄熱できるようになっている。
【００５２】
そして夜間は、図１４に示すように、空気が循環する循環路４７，４８が、バルコニー１２上のサッシ部材１８の内側空間に通じないで、バルコニー１２より内側の部屋５１に通じるように、図示してない切換装置により空気の循環経路を切換えることができるようになっている。このため、空気が循環路４７，４８を通ることにより、コンクリート３９，４３に蓄熱されていた熱が放熱されて、部屋４５，５１内の空気を暖めることができる。
【００５３】
このため、冬の昼間は、図１３に示すように、循環する暖かい空気により上記部屋４５を暖めることができると共に、夜間は、図１４に示すように、循環する暖かい空気により上記部屋４５，５１内の空気を暖めることができるので、その分暖房するのにかかるコストを低減することができるため、自然の力を有効に利用して、自然の変化による環境変化に対処するのにかかるコストを低減することができる。
【００５４】
次に、図１５及び図１６は、本発明の第５の実施の形態に係る住宅５５について説明するために参照する図である。
前記第４の実施の形態に係る住宅３５と同様の部分には同じ符号を付して説明し、前記第４の実施の形態の構成と重複する構成の説明はできるだけ省略するものとする。
【００５５】
本実施の形態に係る住宅５５も、主として冬にその効果を発揮できるものであり、前記第４の実施の形態に係る住宅３５と同様に、バルコニー１２の手摺り部１４と上階のバルコニー１６との間には、熱透過ガラスを有するサッシ部材１８が設けられている。
【００５６】
本実施の形態においては、図１５に示すように、昼間はバルコニー１２の上に、蓄熱材５７を置いて、太陽の光により太陽熱が蓄熱材５７に蓄熱できるようになっている。そして、夜間は、図１６に示すように、昼間太陽熱が蓄熱されて暖かくなっている蓄熱材５７を、バルコニー１２の上から各部屋４５，５１等の中に運び込んで移動させる。
【００５７】
すると、各部屋４５，５１等に運び込まれた蓄熱材５７からの放熱により、各部屋４５，５１等の空気の温度を上昇させることができるので、その分暖房するのにかかるコストを低減することができるため、自然の力を有効に利用して、自然の変化による環境変化に対処するのにかかるコストを低減することができる。
【００５８】
次に、図１７及び図１８は、本発明の第６の実施の形態に係る住宅６０について説明するために参照する図である。
前記第４の実施の形態に係る住宅３５と同様の部分には同じ符号を付して説明し、前記第４の実施の形態の構成と重複する構成の説明はできるだけ省略するものとする。
【００５９】
本実施の形態に係る住宅６０も、主として冬にその効果を発揮できるものであり、前記第４の実施の形態に係る住宅３５と同様に、バルコニー１２の手摺り部１４と上階のバルコニー１６との間には、熱透過ガラスを有するサッシ部材１８が設けられている。
【００６０】
本実施の形態においては、図１７に示すように、住宅６０の床板４１とコンクリート４３との間には循環路４８が形成されている。そして、この循環路４８の内部には、その長さ方向に沿って２本の配管６２が伸びて配置されている。
【００６１】
配管６２の一端部は、バルコニー１２上で、下側の直線状の配管６２と、上側の波型状の蛇行した配管６２の先端部が、互いに連通するよう連結して吸熱部６２ａを形成している。２本の配管６２の他端部は、住宅６０の一番奥の部屋４５の奥側の隅部に突出して、互いに連通するよう連結し、かつ２つの逆Ｕ字部が並んだような放熱部６２ｂを形成している。２本の配管６２の中途部は、住宅６０のバルコニー１２側の部屋５１の奥側の隅部に突出して、上記放熱部６２ｂと同様の放熱部６２ｃを形成している。
【００６２】
配管６２の中には流動タイプの蓄熱材が封入されており、吸熱部６２ａで吸熱して蓄熱されると、吸熱部６２ａ内の蓄熱材が配管６２内を循環して、放熱部６２ｂ，６２ｃから放熱されるようになっている。流動タイプの蓄熱材としては、例えば、株式会社ジャパンエナジー社製の「エコジュール」や、住化プラステック株式会社製の「スミターマル」等がある。
【００６３】
本実施の形態においては、図１７に示すように、昼間はバルコニー１２上の配管６２の吸熱部６２ａ内の流動タイプの蓄熱材に、太陽の光により太陽熱を吸熱して蓄熱されることにより、この蓄熱された流動タイプの蓄熱材を配管６２内の一方向に循環させて、各部屋内の放熱部６２ｂ，６２ｃから放熱されることにより、各部屋４５，５１内の空気温度を上昇させることができる。
【００６４】
そして夜間は、図１８に示すように、配管６２における、バルコニー１２上の吸熱部６２ａと、放熱部６２ｂ，６２ｃとの連通が、図示してない遮断装置により一時的に遮断されるようになっている。このため、流動タイプの蓄熱材は放熱部６２ｂ，６２ｃ間の、無端状の配管内を循環して、各部屋４５，５１内の放熱部６２ｂ，６２ｃから放熱されることにより、それらの部屋の空気温度を上昇させることができる。
【００６５】
このような本発明の第６の実施の形態に係る住宅６０によれば、冬季に各部屋の空気温度を上昇させることができるので、部屋のエアコン等による暖房温度を下げることができるため、自然の力を有効に利用して、自然の変化による環境変化に対処するのにかかるコストを低減することができる。
【００６６】
次に、図１９は、本発明の第７の実施の形態に係る住宅６５について説明するために参照する図である。
前記第４の実施の形態に係る住宅３５と同様の部分には同じ符号を付して説明し、前記第４の実施の形態の構成と重複する構成の説明はできるだけ省略するものとする。
【００６７】
本実施の形態に係る住宅６５は、主として夏にその効果を発揮できるものであり、バルコニー１２の手摺り部１４と上階のバルコニー１６との間には、サッシ部材は設けられていない。バルコニー１２の上方、及び上階のバルコニー１６の下方に、放水や噴霧を行うことができる給水器６７が設けられている。
【００６８】
本実施の形態に係る住宅６５においては、給水器６７がバルコニー１２の上面、及び上階のバルコニー１６の下面に放水や噴霧を行うことにより、かけた水が蒸発するときにバルコニー１２の上面、及び上階のバルコニー１６の下面から気化熱を奪うので、バルコニー１２，１６間の空間の気温を下げることができる。
【００６９】
このような気温が下がった空気が、図示してない送風機により、図１９に示すように形成された循環路４８から吸入されて、奥の部屋４５（図１３参照）内に入ってその気温を下げることができる。奥の部屋４５で熱交換されて気温が上昇した空気は、循環路４７を通って再びバルコニー１２，１６間の空間に戻される。
【００７０】
このような本実施の形態に係る住宅６５によれば、気温を下げた空気を部屋４５に入れて部屋４５の気温を下げることができるので、エアコン等における設定温度を上げることができるため、やはり自然の力を有効に利用して、自然の変化による環境変化に対処するのにかかるコストを低減することができる。
【００７１】
次に、図２０は、本発明の第８の実施の形態に係る住宅７０について説明するために参照する図である。
前記第６の実施の形態に係る住宅６０と同様の部分には同じ符号を付して説明し、前記第６の実施の形態の構成と重複する構成の説明はできるだけ省略するものとする。
【００７２】
本実施の形態に係る住宅７０も、主として夏にその効果を発揮できるものであり、バルコニー１２の手摺り部１４と上階のバルコニー１６との間には、サッシ部材は設けられていない。
【００７３】
本実施の形態に係る住宅７０は、図２０に示すように、床板４１とコンクリート４３との間には循環路４８が形成されている。そして、この循環路４８の内部には、その長さ方向に沿って２本の配管６２が伸びて配置されている。
【００７４】
配管６２の一端部は、バルコニー１２上で、下側の直線状の配管６２と、上側の波型状の蛇行した配管６２の先端部が、互いに連通するよう連結して吸熱部６２ａを形成している。配管６２の他端部は、図２０には図示していないが、前記第６の実施の形態に係る住宅６０における配管６２と同様に構成されている。配管６２の中には、前記第６の実施の形態で説明したものと同様の流動タイプの蓄熱材が封入されている。
【００７５】
このような吸熱部６２ａの上方には、放水や噴霧を行うことができる給水器６７が設けられている。このため、夏季に高温の外気の熱を吸熱した吸熱部６２ａに、給水器６７が放水や噴霧を行うことにより、かけた水が蒸発するときに吸熱部６２ａから気化熱を奪うので、吸熱部６２ａの内部の流動タイプの蓄熱材の温度を下げることができるようになっている。
【００７６】
このような本実施の形態に係る住宅７０によれば、このような温度を下げられた蓄熱材が配管６２の中を循環することにより、奥の部屋４５（図１８参照）内の気温を下げることができるので、エアコン等における設定温度を上げることができるため、やはり自然の力を有効に利用して、自然の変化による環境変化に対処するのにかかるコストを低減することができる。
【００７７】
次に、図２１は、本発明の第９の実施の形態に係る住宅７５の温度調整方法について説明するために参照する図である。
前記第４の実施の形態に係る住宅３５と同様の部分には同じ符号を付して説明し、前記第４の実施の形態の構成と重複する構成の説明はできるだけ省略するものとする。
【００７８】
本実施の形態に係る住宅７５も、主として夏にその効果を発揮できるものであり、図２１に示すように、床板４１とコンクリート４３との間には循環路４８が形成されていると共に、バルコニー１２の上に、土の入った植木鉢７７ａに葉の大きい植物７７ｂを植えた植栽設備７７を設けている。
【００７９】
本実施の形態においては、植物７７ｂ体内の水分が水蒸気となって体外に発散する蒸散作用により発生するその水分や、植木鉢７７ａの植え込みの土に含まれる水分が水蒸気となって蒸発するその水分が気化するときに奪われる気化熱により、バルコニー１２の手摺り部１４の内側の空気の温度を下げることができる。
【００８０】
このようにして温度が下がった空気が、循環路４８を通って奥の部屋４５（図１３参照）まで送られて、その奥の部屋４５の気温を低くすることができ、温度交換により温度が高くなった空気は循環路４７を通ってバルコニー１２の上方に、再び戻ってくるようになっている。
【００８１】
このような本実施の形態に係る住宅７５によれば、植栽設備７７により温度を下げられた空気が循環路４８，４７を循環することにより、奥の部屋４５（図１３参照）内の気温を下げることができるので、エアコン等における設定温度を上げることができるため、やはり自然の力を有効に利用して、自然の変化による環境変化に対処するのにかかるコストを低減することができる。
【００８２】
次に、図２２は、本発明の第１０の実施の形態に係る住宅８０の温度調整方法について説明するために参照する図である。
前記第８の実施の形態に係る住宅７０と同様の部分には同じ符号を付して説明し、前記第８の実施の形態の構成と重複する構成の説明はできるだけ省略するものとする。
【００８３】
本実施の形態に係る住宅８０も、主として夏にその効果を発揮できるものであり、前記第９の実施の形態に係る住宅７５と同様に、バルコニー１２の上に、土の入った植木鉢７７ａに葉の大きい植物７７ｂを植えた植栽設備７７を設けている。
【００８４】
そして、前記第８の実施の形態に係る住宅７０を示す、図２０に示すと同様に、図２２に示すように、床板４１とコンクリート４３との間に形成された循環路４８の内部に、その長さ方向に伸びる配管６２の一端部に形成された、直線状と波型状の蛇行した配管から構成される吸熱部６２ａが、植栽設備７７の植木鉢７７ａの土の中に埋め込まれている。
【００８５】
本実施の形態においては、植物７７ｂの蒸散作用や、植木鉢７７ａの土に含まれる水分が蒸発するときに奪われる気化熱により、配管６２の一端部の吸熱部６２ａに封じ込められている流動タイプの蓄熱材の温度を下げることができる。
【００８６】
このようにして温度が下がった蓄熱材が、循環路４８を通って奥の部屋４５（図１３参照）まで送られて、その奥の部屋の気温を低くすることができ、温度交換により温度が高くなった蓄熱材が循環路４７を通ってバルコニー１２の上方に、再び戻ってくるようになっている。
【００８７】
このような本実施の形態に係る住宅８０によれば、植栽設備７７により温度を下げられた蓄熱材が循環路４８，４７を循環することにより、奥の部屋４５（図１３参照）内の気温を下げることができるので、エアコン等における設定温度を上げることができるため、やはり自然の力を有効に利用して、自然の変化による環境変化に対処するのにかかるコストを低減することができる。
【００８８】
なお、前記実施の形態においては、バルコニー１２の手摺り部１４を有する住宅について説明したが、バルコニー１２から立ち上がるように形成された立上り部を有する住宅であれば、手摺り部１４と呼ばれる程度の高さより低い場合でも、或は高い場合でも本発明を適用することができる。
【符号の説明】
【００８９】
１０  住宅
１２，１６  バルコニー
１４  手摺り部
１８  第１サッシ部材
２０  第２サッシ部材
２０ａ  換気用小窓
２５  住宅
３０  住宅
３２  第３サッシ部材
３２ａ  換気用小窓
３４  光調整部材
３５  住宅
３７  天井
３９  コンクリート
４１  床板
４３  コンクリート
４５  部屋
４７  循環路
４８  循環路
５１  部屋
５５  住宅
５７  蓄熱材
６０  住宅
６２  配管
６２ａ  吸熱部
６２ｂ  放熱部
６２ｃ  放熱部
６５  住宅
６７  給水器
７０  住宅
７５  住宅
７７  植栽設備
７７ａ  植木鉢
７７ｂ  植物
８０  住宅
【図１】
2010209561.tif 000003
【図２】
2010209561.tif 000004
【図３】
2010209561.tif 000005
【図４】
2010209561.tif 000006
【図５】
2010209561.tif 000007
【図６】
2010209561.tif 000008
【図７】
2010209561.tif 000009
【図８】
2010209561.tif 000010
【図９】
2010209561.tif 000011
【図１０】
2010209561.tif 000012
【図１１】
2010209561.tif 000013
【図１２】
2010209561.tif 000014
【図１３】
2010209561.tif 000015
【図１４】
2010209561.tif 000016
【図１５】
2010209561.tif 000017
【図１６】
2010209561.tif 000018
【図１７】
2010209561.tif 000019
【図１８】
2010209561.tif 000020
【図１９】
2010209561.tif 000021
【図２０】
2010209561.tif 000022
【図２１】
2010209561.tif 000023
【図２２】
2010209561.tif 000024